(57)【特許請求の範囲】
【請求項１】
操作対象となる電気機器を手動操作する場合の電気機器の操作支援システムであって、
操作対象となる前記電気機器の操作を操作者に対して許可するために責任者が操作するための操作許可釦を有する責任者端末と、
前記操作許可釦の操作により操作画面上に表示された操作すべき前記電気機器を選択した後、所定の操作を行う操作釦を有するとともに、前記選択が誤選択であった場合に、前記誤選択が生起されたことを光、振動、音響の少なくとも一つで前記操作者およびその周囲に告知する告知手段を有する操作者端末と、
前記責任者端末および操作者端末との間での所定の情報の授受により前記操作許可釦の操作で選択された操作対象と同一の操作対象が前記操作者端末で選択された場合のみ操作を可能とする一方、両者での選択が相違する場合には前記電気機器の操作を行うことができないように操作ロックを行うとともに前記告知手段を動作させて誤選択の発生を告知させる操作支援システム端末と、
前記責任者端末、操作者端末および操作支援システム端末を連携させる通信手段とを有する一方、
前記責任者端末は、前記誤操作が生起された後、前記操作ロックを解除するためのロック解除釦を有するとともに、
前記操作支援システムは、前記ロック解除釦の操作により前記操作者端末における前記操作ロックを解除するように構成したことを特徴とする電気機器の操作支援システム。
【請求項２】
請求項１に記載する電気機器の操作支援システムにおいて、
告知手段は、前記操作者が掛ける眼鏡が光、振動、音響の少なくとも一つを発生するように前記眼鏡に組み込んで構成したことを特徴とする電気機器の操作支援システム。
【請求項３】
請求項１に記載する電気機器の操作支援システムにおいて、
告知手段は、前記操作者端末の前記操作画面上の所定位置をクリックするマウスが光、振動、音響の少なくとも一つを発生するように前記マウスに組み込んで構成したことを特徴とする電気機器の操作支援システム。
【請求項４】
操作対象となる電気機器を責任者が選択するための責任者端末と、操作対象となる電気機器を操作者が選択・操作するための操作者端末と、前記責任者端末および操作者端末の所定の制御を行う操作支援システム端末とを通信手段で連携させた電気機器の操作支援システムにおける操作支援方法であって、
前記責任者端末において責任者が操作者に対して操作を許可した操作対象の電気機器と前記操作者端末において操作者が選択した電気機器が前記責任者が許可した電気機器と一致した場合のみ、前記操作支援システム端末を介して前記操作者端末において前記許可をした電気機器の操作を可能にする一方、両者が異なる場合には、操作者側において前記電気機器の操作をすることができないように操作ロックを行うとともに、光、振動、音響の少なくとも一つを発生する告知手段により前記両者が異なる事実を告知させ、その後責任者側のロック解除釦の操作により前記操作支援システムを介して前記操作ロックが解除されて初期状態に戻るようにしたことを特徴とする操作支援方法。
【発明の詳細な説明】
【技術分野】
【０００１】
本発明は電気機器の操作支援システムおよび操作支援方法に関し、特に電力系統の電気機器である遮断器やリレー等を手動で遠隔操作する場合に適用して有用なものである。
【背景技術】
【０００２】
電力系統の停電操作やリレーの試験等を行う場合には、遮断器やリレー等、所定の電気機器を手動操作する必要がある。かかる機器操作は、通常、制御所から遠隔操作で行われる。また、かかる機器操作は、誤操作を未然に防止するため、従来より責任者（当直長）と操作者（当直員）との２名で、例えば次のような手順で行われている。
１）手順書等に照らし当直員が当直長へ操作機器を連絡する。
２）当直員が当直員モニターより操作機器を選択する。
３）当直長が当直長モニターより当直員の操作機器が正しく選択された事を確認する。
４）当直員が「入または切」釦を押す。
５）当直長および当直員が自己のモニターで操作が完了した事を確認する。
【０００３】
なお、この種の操作支援システムとしては、特許文献１が存在する。
【先行技術文献】
【特許文献】
【０００４】
【特許文献１】特開平９−２５２５３５号公報
【発明の概要】
【発明が解決しようとする課題】
【０００５】
上記従来技術においては、操作すべき操作対象機器に対する当直長と当直員との二人の選択操作が一致したときに実際に操作対象機器の所定の操作を行うことにより誤操作を未然に防止するようにしているが、当直員側では、操作対象機器をモニター上で確認しているので、間違って読み取ってしまう場合がある。
【０００６】
この場合には、そのまま間違った電気機器を選択するという問題を生起していた。ちなみに、選択された操作対象機器はモニター装置の画面上で点滅させる等、他と識別できるような一応の工夫はなされているが、間違った電気機器をクリックしても操作が可能な構成となっているので、特に忙しいとき等には選択の間違いが起こり易かった。
【０００７】
本発明は、上記従来技術に鑑み、誤選択を行った場合には、操作者およびその周囲に確実に誤選択の発生を告知するとともに誤選択のままでの機器操作を行うことができないようにし、最終的に操作対象機器の誤操作を確実に防止し得る電気機器の操作支援システムおよび操作支援方法を提供することを目的とする。
【課題を解決するための手段】
【０００８】
上記目的を達成する本発明の第１の態様は、
操作対象となる電気機器を手動操作する場合の電気機器の操作支援システムであって、
操作対象となる前記電気機器の操作を操作者に対して許可するために責任者が操作するための操作許可釦を有する責任者端末と、
前記操作許可釦の操作により操作画面上に表示された操作すべき前記電気機器を選択した後、所定の操作を行う操作釦を有するとともに、前記選択が誤選択であった場合に、前記誤選択が生起されたことを光、振動、音響の少なくとも一つで前記操作者およびその周囲に告知する告知手段を有する操作者端末と、
前記責任者端末および操作者端末との間での所定の情報の授受により前記操作許可釦の操作で選択された操作対象と同一の操作対象が前記操作者端末で選択された場合のみ操作を可能とする一方、両者での選択が相違する場合には前記電気機器の操作を行うことができないように操作ロックを行うとともに前記告知手段を動作させて誤選択の発生を告知させる操作支援システム端末と、
前記責任者端末、操作者端末および操作支援システム端末を連携させる通信手段とを有する一方、
前記責任者端末は、前記誤操作が生起された後、前記操作ロックを解除するためのロック解除釦を有するとともに、
前記操作支援システムは、前記ロック解除釦の操作により前記操作者端末における前記操作ロックを解除するように構成したことを特徴とする電気機器の操作支援システムにある。
【０００９】
本態様によれば、責任者側で指定した操作対象と、操作者側とで選択した操作対象が一致しない場合には、告知手段を介して誤選択の事実が告知されるので、操作者は誤選択の事実を確実に認識し得る。また、誤選択が発生した場合には操作ロックが掛かるので、ヒューマンエラーによる操作対象電気機器の誤操作を確実に防止し得る。
また、本態様によれば、操作ロック後の解除は責任者側の専権事項となるので、誤選択し一定時間後にロックが解除してしまうということもなく、ロック解除釦を設けることにより、操作員に誤選択した認識を持たせ責任者にも操作監視の大切さを認識させることができる。
【００１２】
本発明の第２の態様は、
第１の態様において、
告知手段は、前記操作者が掛ける眼鏡が光、振動、音響の少なくとも一つを発生するように前記眼鏡に組み込んで構成したことを特徴とする電気機器の操作支援システムにある。
【００１３】
本態様によれば、視覚、音、振動により、朝の多忙な無意識状態の時でも、誤操作が有効に防止し得る。また、周囲にも誤選択したことが分かり、操作員の操作業務に対する意識の向上を図ることができる。
【００１４】
本発明の第３の態様は、
第１の態様において、
告知手段は、前記操作者端末の前記操作画面上の所定位置をクリックするマウスが光、振動、音響の少なくとも一つを発生するように前記マウスに組み込んで構成したことを特徴とする電気機器の操作支援システムにある。
【００１５】
本態様によれば、視覚、音、振動により、朝の多忙な無意識状態の時でも、誤操作が有効に防止し得る。また、周囲にも誤選択したことが分かり、操作員の操作業務に対する意識の向上を図ることができる。
【００１６】
本発明の第４の態様は、
操作対象となる電気機器を責任者が選択するための責任者端末と、操作対象となる電気機器を操作者が選択・操作するための操作者端末と、前記責任者端末および操作者端末の所定の制御を行う操作支援システム端末とを通信手段で連携させた電気機器の操作支援システムにおける操作支援方法であって、
前記責任者端末において責任者が操作者に対して操作を許可した操作対象の電気機器と前記操作者端末において操作者が選択した電気機器が前記責任者が許可した電気機器と一致した場合のみ、前記操作支援システム端末を介して前記操作者端末において前記許可をした電気機器の操作を可能にする一方、両者が異なる場合には、操作者側において前記電気機器の操作をすることができないように操作ロックを行うとともに、光、振動、音響の少なくとも一つを発生する告知手段により前記両者が異なる事実を告知させ、その後責任者側のロック解除釦の操作により前記操作支援システムを介して前記操作ロックが解除されて初期状態に戻るようにしたことを特徴とする操作支援方法にある。
【００１７】
本態様によれば、責任者側と操作者側とのアンド条件の成立により操作者側で操作対象となる電気機器の操作を行うことができるようになるので、操作者側での操作者単独での操作がなくなり当該電気機器の操作における操作のヒューマンエラーを除去することができる。また、視覚、音、振動により誤操作の事実が告知されるので，朝の多忙な無意識状態の時でも，誤操作を未然に防止することができる。さらに、操作ロック後の解除は責任者側の専権事項となるので、操作員に誤選択した認識を持たせ責任者にも操作監視の大切さを認識させることができる。
【発明の効果】
【００１８】
本発明によれば、誤選択を行った場合、告知手段が動作して誤選択の発生を操作者のみならず周囲にも光、音等で告知するようにしたので、確実に誤選択の発生を告知し得る。この結果、誤選択に対する対策も迅速且つ的確に講じることができる。すなわち、責任者に報告して、所定の事後的な処理を迅速に依頼することができる。
【００１９】
また、責任者の選択操作と操作者の選択操作とが一致しない場合には誤選択として電気機器の操作が不可能になるようにロックがかかるので、確実に誤操作を防止することができる。
【図面の簡単な説明】
【００２０】
【図１】本発明の実施の形態に係る電気機器の操作支援システムの動作態様を概念的に示す説明図である。
【図２】本発明の実施の形態における告知手段の一種である眼鏡を概念的に示す説明図である。
【図３】本発明の実施の形態に係る電気機器の操作支援システムを示すブロック線図である。
【図４】本発明の実施の形態に係る電気機器の操作支援システムを用いた電気機器の操作手順を示すフローチャートである。
【発明を実施するための形態】
【００２１】
以下、本発明の実施の形態を図面に基づき詳細に説明する。
【００２２】
図１は本発明の実施の形態に係る電気機器の操作支援システムの動作態様を概念的に示す説明図である。同図に示すように、責任者としての当直長１と操作者としての当直員２，３との席には、機器操作のための操作釦１２，１３，１４が配設された当直長操作パネル９および当直員操作パネル１０，１１と、操作機器を選択するための機器配置の回路を示す当直長操作画面４Ａおよび当直員操作画面５Ａ等を表示する表示部であるモニター装置４，５，６とが設置してある。ここで、当直長１と当直員２，３とのモニター装置４〜６には同一内容が表示される。
【００２３】
本形態における当直長操作パネル９には、操作ＣＢを選択した後、当該操作ＣＢを当直員２，３が選択し得るように許可を与えるための操作許可釦１２Ａと、当直員２の依頼によりシステムロックを解除するためのシステムロック解除釦１２Ｂとが設けてある。
【００２４】
また、当直長１と当直員２，３との間では所定の情報の授受を行うための通信回線７が設けてある。モニター装置４〜６および当直長操作パネル９および当直員操作パネル１０、１１は通信回線７を介して所定の情報処理を行う操作支援システム端末２４（図３に基づき後に詳述する。）に接続してある。なお、本形態における操作対象機器は遮断器（ＣＢ）として説明するが、勿論これに限るものではない。手動で操作を行う可能性がある電気機器であればそれ以外の制限はない。
【００２５】
かかるシステムにおいて、まず当直員２，３が当直長１に操作ＣＢを連絡する。この連絡を受けて当直長１がモニター装置４の所定位置をクリックすることにより、操作対象となるＣＢを選択するとともに当直長操作パネル９の操作ＣＢの操作許可釦１２Ａを押す。かかる選択情報および操作許可情報は通信回線７を介して操作支援システム端末２４に送られ、所定の処理の後、当直員２，３のモニター装置５，６に表示される。当直員２，３はモニター装置５，６を見ながら指定された操作対象となるＣＢをマウス１５の操作によりクリックする。このとき、当直長１が選択したＣＢと当直員２，３が選択したＣＢとが一致した場合のみ、当該ＣＢの操作が可能になる。
【００２６】
図１では、当直員２の選択が間違っている場合を示している。このように、当直長１と当直員２との選択が一致しない場合には、システムがロックされ操作釦１３を操作してのＣＢの操作が禁止される。同時に当直員２が掛けている眼鏡８（詳細は後に説明する）により誤選択であることを告知する。かかる告知は光、音、振動、視覚情報により周囲にも分かるように行う。
【００２７】
誤選択に気づいた当直員２は当直長１にシステムのロックの解除を依頼する。ロックが解除された後、同様の選択操作を再度行う。
【００２８】
一方、図１に示す場合、当直長１が選択したＣＢと同様のＣＢを選択した当直員３は選択したＣＢの操作が可能であるので、当直員操作パネル１１の操作釦１４を押して操作対象となっているＣＢに所定の動作（投入・開放）を行わせる。
【００２９】
上述のように、操作許可釦１２Ａを設けて当直員２，３のＣＢ選択操作の前提として当直長１の許可を必要とし、さらに誤操作の場合には、目、声（復唱）、音、振動により誤操作であることを告知することにより、例えば朝の多忙な無意識状態の時でも、誤操作を除去することができる。また、周囲にも誤選択したことが分かり、意識の向上につながる。
【００３０】
さらに、システムロック解除釦１２Ｂを設けてシステム解除を当直長１の専権操作としているが、これは、誤選択した所定時間後にロックが解除してしまうと誤選択した意味が無くなるからである。すなわち、システムロック解除釦１２Ｂを設けることにより，当直員２に誤選択した認識を持たせ当直長１にも操作監視の重要性を認識させるためである。なお、当直員２が当直長１にシステムのロックの解除を依頼する場合、また操作手順書に照らし、当直長１のＣＢ選択が間違っている場合、システムロックの解除依頼や間違いの指摘は、当直長１および当直員２，３が同室に居る場合には、口頭で行うことができる。ちなみに、従来も同様に口頭で行っているが、システムロックが掛からない分、当直長１が言い間違えれば誤操作になってしまっていた。
【００３１】
図２は本形態における告知手段の一種である眼鏡を概念的に示す説明図である。同図に示すように、眼鏡８は誤選択を検出した操作支援システム端末２４から通信回線７を介して送出される誤選択信号によりその縁部８Ａが光るとともに、レンズ８Ｂに「×」印が表示される。また、眼鏡８の、例えばツル部分８Ｃに振動子を装着し、誤選択時にはこの振動子が振動して誤選択を告知するようにしても良い。また、図１に示すマウス１５も同様に構成することにより、告知手段として利用することができる。ここで、光による告知は、ＬＥＤを搭載して、これを発光させることにより、「×」印等の視覚情報は液晶を利用することにより、振動の発生は、例えば携帯電話の振動構造を利用することにより好適に実現し得る。
【００３２】
図３は本発明の実施の形態に係る電気機器の操作支援システムを示すブロック線図である。同図中、図１と同一部分には同一番号を付し、重複する説明は省略する。
【００３３】
図３に示すように、本形態に係る操作支援システム２１は、当直長端末２２、当直員端末２３、操作支援システム端末２４および当直長端末２２、当直員端末２３、操作支援システム端末２４間で所定の情報の授受を行わせるための通信回線７を具備する。
【００３４】
当直長端末２２は当直長操作画面４Ａ、当直長操作パネル９からなり、当直員端末２３は当直員操作画面５Ａ、眼鏡８、当直員操作パネル１０およびマウス１５等からなる。これらは図１に示すものと同様である。
【００３５】
操作支援システム端末２４は操作ＣＢ選択可能処理部２９、システムロック処理部３０、操作ＣＢロック処理部３１、発光処理部３２、振動処理部３３および音響処理部３４からなる。
【００３６】
操作ＣＢ選択可能処理部２９は、当直長操作パネル９の操作許可釦１２Ａの操作により、これを表す操作許可信号を受信した場合に、当直員端末２３へＣＢ操作可能であることを表す操作可能信号を送出する。すなわち、当直長１が操作許可釦１２Ａを操作した場合には、通信回線７を経由し操作ＣＢ選択可能処理部２９で操作可能処理が実行される。この結果、通信回線７を経由して所定の情報が伝送されて当直長操作画面４Ａおよび当直員操作画面５Ａに「操作可能」の文字が表示される。
【００３７】
システムロック処理部３０は、当直長１と当直員２、３の選択ＣＢが一致しない場合に当該システム（操作対象であるＣＢが接続されている特定の電力系統）をロックする。この場合のロック信号は操作支援システム端末２４より当直員端末２３へ送出するもので、ロック信号の受信により当直員端末２３へシステムロックを掛ける。
【００３８】
操作ＣＢロック処理部３１は、当直員操作画面５Ａにおける選択ＣＢの操作を禁止する処理を行う。すなわち、システムロック処理部３０で前述の如くシステムロックするとともに当直員端末２３でＣＢを選択させない処理を行う。かくして、当直員端末２３にて誤選択が生起された場合、上述の如く、システムロックとなるが、これに伴うロック信号が、通信回線７を経由し操作支援システム端末２４で処理されることによりシステムロック処理と同時に当直員端末２３での操作ＣＢの操作がロックされる。この結果、当直員操作画面５Ａの所定位置をクリックしても「選択」モードに移行しない。
【００３９】
発光処理部３２は当直員２による誤選択が発生した場合、眼鏡８やマウス１５等の告知手段を発光させて誤選択であることを告知する。振動処理部３３は当直員２による誤選択が発生した場合、眼鏡８やマウス１５等の告知手段を振動させて誤選択であることを告知する。音響処理部３４は当直員２による誤選択が発生した場合、スピーカー等の告知手段を動作させて誤選択であることを告知する。
【００４０】
かかる操作支援システムを利用したＣＢの操作手順を図４に基づき説明する。図４は本発明の実施の形態に係る電気機器の操作支援システムを用いた電気機器の操作手順を示すフローチャートである。
【００４１】
同図に示すように、最初に手順書に基づき操作しようとするＣＢを当直長１（図１参照；以下同じ）に当直員２（図１参照；以下同じ）から口頭で報告する（ステップＳＴ１）。当直長１は当直長操作画面４Ａで操作ＣＢを確認し、これを選択する（ステップＳＴ２）。この場合の「選択」は当直長１の正しい選択と、誤った選択の２種類がある。
【００４２】
次に、当直長１の判断で操作許可釦１２Ａを押す(ステップＳＴ３)。当直長１の判断（ステップＳＴ４）に基づく操作ＣＢの選択が正しい場合（当直員２が当直長１へ連絡したＣＢである場合）であって、許可ＣＢを選択した場合に操作ＣＢの選択を可能にする（ステップＳＴ５）。
【００４３】
かかる状態で当直員２の判断（ステップＳＴ６）で許可ＣＢを選択すると操作ＣＢの操作を可能にする（ステップＳＴ７）。これに伴い、当直長操作画面４Ａおよび当直員操作画面５Ａには「操作可能」の文字が表示される。その後、当直員２が操作ＣＢの入・切操作を実施する（ステップＳＴ８）。かくして正常なＣＢ操作が完了する。
【００４４】
一方、ステップＳＴ３で当直長１が操作許可釦１２Ａを押さない場合には操作ＣＢの選択が不可能となりステップＳＴ１に戻る（ステップＳＴ９）。
【００４５】
また、当直長１の判断（ステップＳＴ４）に基づく操作ＣＢの選択が間違っている場合（当直員２が当直長１へ連絡したＣＢと異なる場合）には操作ＣＢの選択が不可能になる（ステップＳＴ１０）。かかる状態で、当直員２が操作ＣＢ、すなわち操作すべきＣＢを選択（ステップＳＴ１１）した場合には当直長１の操作許可ＣＢとが相違すると判断する（ステップＳＴ１２）。これは、当直長１の誤操作に起因する相違である。同様の状態は、ステップＳＴ６において当直員２の判断により誤って誤ＣＢ選択を行った場合、すなわち当直長１が指定した操作ＣＢではないＣＢを選択した場合にも生起される（ステップＳＴ１２）。これは、当直員２の誤操作に起因する相違である。
【００４６】
このように、何れにしても当直長１の操作許可ＣＢと当直員２の選択ＣＢとが相違した場合には、眼鏡８またはマウス１５等の告知手段を介して誤操作である旨が告知される（ステップＳＴ１３）。
【００４７】
この結果、操作ロックが掛かり操作ができなくなる（ステップＳＴ１４）。そこで、当直員２が、例えば口頭により当直長１へシステム解除を依頼し（ステップＳＴ１５）、当直員２の依頼を受けた当直長１がシステムロック解除釦１２Ｂを押す（ステップＳＴ１６）。この結果システム解除となり操作ＣＢが選択可能となって（ステップＳＴ１７）、その後ステップＳＴ１に戻る。
【００４８】
なお、上記実施の形態では、誤操作によりシステムロックとなった場合、当直長のみがかかるシステムロック状態を解除し得るようにしたが、必ずしもこのように構成する必要はない。ただ、このような構成とすることにより、操作者に誤操作を行った認識を持たせて注意を喚起し、再度の誤操作を未然に防止する効果はある。また、操作者が当直長、当直員である必要もない。一般的には、一方が統括的な責任者であり、他方が実際に操作を行う操作者の関係になっていれば良い。
【００４９】
さらに、上記実施の形態では、当直長端末２２、当直員端末２３および操作支援システム端末２４を通信回線７で連携させたが、これに限るものでもない。有線の通信回線７の代わりに無線を用いることもできる。
【産業上の利用可能性】
【００５０】
本発明は電力系統を備えて電力を供給する産業分野において有効に利用することができる。
【符号の説明】
【００５１】
１                    当直長
２，３                当直員
４，５，６            モニター装置
４Ａ                  当直長操作画面
５Ａ                  当直員操作画面
７                    通信回線
８                    眼鏡
９                    当直長操作パネル
１０，１１              当直員操作パネル
１２，１３，１４        操作釦
１２Ａ                  操作許可釦
１２Ｂ                  システムロック解除釦
１５                    マウス
２１                    操作支援システム
２２                    当直長端末
２３                    当直員端末
２４                    操作支援システム端末
【図３】
0005480199.tif 000002
【図１】
0005480199.tif 000003
【図２】
0005480199.tif 000004
【図４】
0005480199.tif 000005